(57)【要約】【課題】  一般部材を用いて建築現場において容易に加工・施工できると共に、梁の途中に配置された角柱により定規アングルが中断された部分にＡＬＣパネルの取付部がきたとしても、十分なパネル強度・施工精度を得ることができるＡＬＣパネル取付用定規アングルの連結構造および連結方法の提供。【解決手段】  断面Ｌ字型の連結プレート１１と、この連結プレート１１の両端に側縁の一部が固定され、この固定部分以外の側縁が前記連結プレートの底部から突出して突出部１３を形成した一対のフラットバー１２とからなる平面略コ字状の連結部材１０を、定規アングル８の中断部分に平行に配置すると共に、前記各フラットバー１２の突出部１３の底部を梁Ｈ上に溶接固定および／または前記各フラットバー１２の突出部１３の側縁を角柱３の表面に溶接固定する。【選択図】  図５
2006112066.tif 000002
【特許請求の範囲】
【請求項１】
梁の途中に配置された角柱によって軽量気泡コンクリートパネル取付用の定規アングルが中断された部分の連結構造であって、前記角柱の幅以上の長さを有する断面Ｌ字型の連結プレートと、この連結プレートの両端に側縁の一部が固定され、この固定部分以外の側縁が前記連結プレートの底部から突出して突出部を形成した一対の平板部材とからなる平面略コ字状の連結部材を、前記定規アングルの中断部分に平行に配置すると共に、前記各平板部材の突出部の底部を前記梁上に溶接固定および／または前記各平板部材の突出部の側縁を前記角柱表面に溶接固定してなることを特徴とする軽量気泡コンクリートパネル取付用定規アングルの連結構造。
【請求項２】
前記連結部材の連結プレート両端と前記平板部材の側縁の一部との接合部が溶接固定されていることを特徴とする請求項１に記載の軽量気泡コンクリートパネル取付用定規アングルの連結構造。
【発明の詳細な説明】
【技術分野】
【０００１】
本発明は、梁の途中に配置された角柱軽量気泡コンクリートパネル（以下、ＡＬＣパネルという。）取付用定規アングルが中断された部分の連結構造に関するものである。
さらに詳しくは、一般部材を用いて建築現場において容易に加工・施工できると共に、梁の中断部分にＡＬＣパネルの取付部位が合致しても、十分なパネル強度・施工精度を得ることができるＡＬＣパネル取付用定規アングルの連結構造および連結方法に関するものである。
【背景技術】
【０００２】
ＡＬＣパネルは、いわゆるコンクリート板に比べて多孔質であり、比重が０．４５〜０．５５と軽量であることから、軽量性、耐侯性および断熱性に優れており、これらの特性を生かして建築材料、例えば、建物の内外壁用パネルや屋根パネルとして広く使用されている。
【０００３】
ＡＬＣ壁パネルの取付構造においては、ＡＬＣパネルの層間変形追従性を有するようにロッキングの構造を採用することが多い。
その構造の一例として、アンカーが埋設されたＡＬＣ壁パネルを、稲妻プレート、板状部材および自重受け部材の３つに分かれた取付部材および定規アングルを用いて梁に取付ける構造がある。
この取付構造は、アンカーの埋設位置や上層パネルと下層パネルの取付け位置にずれがあっても容易にＡＬＣ壁パネルを梁に固定することが可能であるという長所を有している。
すなわち、稲妻プレートあるいは自重受け部材の相対的な取付け位置を調整したり、自重受け部材とそれを挿入される板状部材との隙間のなかで板状部材を幅方向に移動させて固定したりすることにより、パネル取付時にアンカー位置と前記３つの部材との位置合わせが容易となるのである。
【０００４】
一方、建築物の梁に沿わせて垂直に角柱が配置される場合、ＡＬＣ壁パネルを梁に取付けるための長尺な定規アングルが、その柱位置において角柱と干渉するため中断されて、柱を跨って１本の定規アングルを取付けることができない。
そのため、従来よりこの問題を解消するため、図６に示すように、角柱３により中断された定規アングル８の起立片８ａの端部間に、連結部材としてフラットバー１を用いてその接合部５を溶接して固定し、そのフラットバー１に稲妻プレート９ａ、板状部材９ｂおよび自重受け部材９ｃの３つの部材からなる取付金具を用いて、ＡＬＣ壁パネル６を梁４に固定していた。
【０００５】
しかし、図６に示すように、フラットバー１を定規アングル８の連結部材とした場合は、ＡＬＣ壁パネル６の取付け強度が低いという問題点があった。
すなわち、自重受け部材９ｃへのＡＬＣ壁パネル６の荷重を、その直接固定されているフラットバー１が全て負担するため、フラットバー１が撓んでしまったり、またＡＬＣ壁パネル６の取付け強度不足になったりしていた。
【０００６】
そこで、本出願人は、このような問題を解決するために検討した結果、図７に示した平面Ｌ型取付用鋼材２を連結部材とした連結構造により、上記問題点が解決できることを見出し、先に提案した。
この平面Ｌ型取付用鋼材２は、垂直フランジ部２ａと水平フランジ部２ｂとからなるアングル型の長尺鋼材を構成しており、水平フランジ部２ｂの中間部はその長さ方向に所定幅残してコ字型に切り欠かれて、幅の狭い長尺板状水平フランジ部２ｄと両端部に形成された矩形板状水平フランジ部２ｃ、およびコ字型切欠き部２ｅが形成されている鋼材である。（特許文献１参照）
【０００７】
この提案の平面Ｌ型取付用鋼材２は、図８に示したように、角柱３にそのコ字型切欠き部２ｅを嵌め込んだ状態で梁４の上面に固定される。
すなわち、平面Ｌ型取付用鋼材２の幅の狭い長尺板状水平フランジ部２ｄが角柱３のダイヤフラム３ａ上に載置されるとともに、矩形板状水平フランジ部２ｃが梁４の上面に載置され、さらにその端辺が梁４の上面に溶接固定される。
これにより平面Ｌ型取付用鋼材２は十分な強度で梁４上面に固定される。そして、平面Ｌ型取付用鋼材２にパネルの取付金具９が固定される。
その取付金具９は垂直フランジ部２ａに固定される。すなわち、上層壁パネル６ａをその下部に埋設されたアンカー６ｃとボルト等の係止部材９ｄを介して係止するパネル下部取付け部材９ａ（稲妻プレート）と、垂直フランジ部２ａのパネル６側に溶接固定されて上層壁パネル６ａを受ける自重受け部材９ｃと、一端部が下層壁パネル６ｂの上部に埋設されたアンカー６ｃとボルト等の係止部材９ｄによって係止し他端部が自重受け部材９ｃに貫通する板状部材９ｂとから構成されている。
この３部材（パネル下部取付け部材９ａ、自重受け部材９ｃ、板状部材９ｂ）から構成される取付金具９によりパネル６が梁４に固定されていると、パネルのアンカー位置６ｃと取付金具９との位置合わせが容易となり、パネル６の取付強度が十分に得られるとともにパネル６の層間変形追従性の優れたパネルの取付構造にすることができる。
【０００８】
しかし、上記のＡＬＣパネルの取付構造は、一般の取付金物を使用することができず、特殊な形状の鋼材（平面Ｌ型取付用鋼材）を準備しなくてはならないという問題が残されていた。
また、コ字型切欠き部２ｅを形成するために溶断加工方法が必要となるため、建設現場でガス溶断機を準備し、その溶断作業に熟練の作業員や多大な手間が必要とされていた。
また、工場で予め加工された連結部材（平面Ｌ型取付用鋼材）を手配しても、現場での角柱寸法などに応じて多種寸法の金具を準備する必要があり、金物製作の費用などでコスト高となっていた。
【特許文献１】特開２０００−０９６７４９号公報
【発明の開示】
【発明が解決しようとする課題】
【０００９】
本発明は、上述した従来技術における問題点の解決を課題として検討した結果達成されたものである。
【００１０】
したがって、本発明の目的は、一般部材を用いて建築現場において容易に加工・施工できると共に、梁の途中に配置された角柱によって定規アングルが中断された部分にＡＬＣパネルの取付部位が合致しても、十分なパネル強度・施工精度を得ることができるＡＬＣパネル取付用定規アングルの連結構造および連結方法を提供することにある。
【課題を解決するための手段】
【００１１】
上記の目的を達成するために、
梁の途中に配置された角柱によってＡＬＣパネル取付用の定規アングルが中断された部分の連結構造であって、前記角柱の幅以上の長さを有する断面Ｌ字型の連結プレートと、この連結プレートの両端に側縁の一部が固定され、この固定部分以外の側縁が前記連結プレートの底部から突出して突出部を形成した一対の平板部材とからなる平面略コ字状の連結部材を、前記定規アングルの中断部分に平行に配置すると共に、前記各平板部材の突出部の底部を前記梁上に溶接固定および／または前記各平板部材の突出部の側縁を前記角柱表面に溶接固定してなることを特徴とするＡＬＣパネル取付用定規アングルの連結構造を採用した。
【００１２】
なお、ＡＬＣパネル取付用定規アングルの連結構造において、前記連結部材の連結プレート両端と前記平板部材の側縁の一部との接合部が溶接固定されていることが、好ましい条件とした。
【発明の効果】
【００１３】
本発明によれば、以下に説明するとおり、一般部材を用いて建築現場において容易に加工・施工できると共に、梁の途中に配置された角柱によって定規アングルが中断された部分にＡＬＣパネルの取付部位が合致しても、十分なパネル強度・施工精度を得ることができるＡＬＣパネル取付用定規アングルの連結構造および連結方法が提供される。
【００１４】
すなわち、本発明によれば、連結部材を構成する鋼材部品を建築現場で容易に入手することができ、簡単に組み立て・取付を行うことができる。
そのため、定規アングルが中断された部分に対する連結部材の取付作業が大幅に軽減されると共に、手間・時間・材料などのトータルコストの低減を図ることができる。  さらに、連結部材を梁上に強固に固定することができるため、梁の途中に配置された角柱によって定規アングルが中断された部分にＡＬＣパネルの取付部位が合致した場合であっても、建物躯体の層間変形に対するパネル追従性を阻害することなく、定規アングルの一般部と同様に十分なパネル強度と施工精度を得ることができる。
【発明を実施するための最良の形態】
【００１５】
以下に、本発明について、図面を参照しつつ詳細に説明する。
【００１６】
図１は本発明で使用する連結部材の一例を示す斜視説明図、図２は同じく他の一例を示す斜視説明図、図３、図４は連結部材を定規アングルの中断部分に取付けた状態を示す斜視説明図、図５は連結部材の取付部分にさらにＡＬＣパネルを取付けた構造を示す斜視説明図である。
【００１７】
図１に示したように、本発明で使用する連結部材１０は、定規アングルを中断する角柱の幅以上の長さを有す断面Ｌ字型の連結プレート１１と、この連結プレート１１の両端に接合部１４を介して側縁の一部が固定され、この固定部分以外の側縁が連結プレート１１の底部から突出して突出部１３を形成した一対の平板部材１２とからなる平面略コ字状の取付金具であり、突出部１３の底部を梁の上面に溶接固定および／または突出部１３の側縁を角柱表面に溶接固定することにより、定規アングルの中断部分に取り付けられるように構成される。
【００１８】
この連結部材１０は、建築現場での実測寸法に基づいて、一般的な鋼材部品を使用し、連結プレート１１の両端に平板部材１２の側縁の一部を、好ましくは接合部１４を溶接固定して接合することにより、容易に作成することができる。
【００１９】
図２に示した連結部材１０は、連結プレート１１の両端からやや内側の部分に、平板部材１２の一方の側壁と、その底部の一部を切り欠いた部分１５を溶接固定した点が、図１の連結部材とは相違している。この図２の連結部材１０によれば、連結部材自体の取付強度は向上するが、平板部材１２の一部を切り欠く必要がある点では余分な手間を要する。
【００２０】
これらの連結部材１０を、梁４の途中に配置された角柱３により中断される定規アングル８の起立片８ａの端部間に取り付ける。
その方法は、図３に示すように、連結部材１０を、定規アングル８の中断部分に平行に配置すると共に、各平板部材１２の突出部１３の底部を溶接部１５で梁４上に溶接固定するか、あるいは各平板部材１２の突出部１３の側縁を溶接部７で角柱３の表面に溶接固定することにより、容易に行うことができる。
図３の手段は寸法精度の点で勝り、図４の手段はパネルの取付強度および層間変形追従性で優れているが、場合によっては両者の手段を併用することもできる。
【００２１】
なお、連結部材１０を定規アングルの中断部分に取り付ける具体的手段としては、以下に述べる方法が好ましく採用される。
まず、定規アングルの中断部分に沿わせて、この中断部分よりも長さが大きい定規バーを配置すると共に、この定規バーの両端を中断部分の両端に位置する定規アングルの端部起立片にシャコ万クランプなどの固定具を用いて仮固定する。
次に、前記定規バーに沿わせて連結部材を中断部分に配置し、この状態で平板部材の突出部の底部を、梁の上面に溶接固定および／または突出部の側縁を角柱表面に溶接固定する。
【００２２】
そして、固定具を取り外し、定規バーと定規アングルとの仮固定を解除することにより、連結部材の取り付けが完了する。
この方法によれば、連結部材を構成する鋼材部品を建築現場で容易に入手することができ、簡単に組み立て・取付を行うことができる。
そのため、定規アングルの中断部分に対する連結部材の取付作業が大幅に軽減されると共に、手間・時間・材料などのトータルコストの低減を図ることができるばかりか、連結部材を梁Ｈ上に強固に固定することができる。
【００２３】
次に、上記定規アングルの中断部分にＡＬＣパネル６の取付部位が合致した場合の取付構造について、図５に基づいて説明する。
なお、符号は従来例と同一のものは同一符号を付した。
【００２４】
図５に示したように、梁４の途中に配置された角柱３により中断される定規アングル８の起立片８ａの端部間、つまり定規アングル８の中断部分において、壁パネル６の上層パネル６ａおよび下層パネル６ｂの各１枚は、それぞれのパネル上下端部でかつ幅方向の中心部が各パネルに埋設されているアンカー６ｃに取付け金具９を介して梁４などの建物躯体に取り付けられて、ロッキングによるパネルの層間変形追従性を有する構造となっている。
【００２５】
また、梁４の途中に配置された角柱３により中断される定規アングル８のの端部同士は、本発明の連結部材１０によって連結されている。そして、この連結部材１０の連結プレート１１には取付け金具９が溶接固定されている。
【００２６】
なお、取付け金具９は、図８で示した場合と同様に、上層パネル６ａをその下部に埋設されたアンカー６ｃとボルトなどの係止部材９ｄを介して係止するＬ字型のパネル下部取付け部材９ａと、上層パネル６ａを受ける自重受け部材９ｃと、一端部が下層パネル６ｂの上部に埋設されたアンカー６ｃとボルトなどによって係止し、他端部が自重受け部材９ｃに貫通する板状部材９ｂとから構成されている。
【００２７】
かかる構成の取付構造によれば、連結部材１０を梁４上および／または角柱３表面に平板部材１２を介して強固に固定することができるため、定規アングル８が中断された部分にＡＬＣパネル６の取付部位が合致した場合であっても、建物躯体の層間変形に対するパネル追従性を阻害することなく、定規アング８の一般部と同様に十分なパネル強度と施工精度を得ることができる。
【産業上の利用可能性】
【００２８】
以上説明したように、本発明によれば、梁の途中に配置された角柱によりＡＬＣパネル取付用定規アングルが中断された部分の連結構造を、一般部材を用いて建築現場において容易に加工・施工できると共に、梁の中断部分にＡＬＣパネルの取付部位が合致しても、十分なパネル強度・施工精度を得ることができることから、建築分野に対して与える貢献度が極めて大きい。
【図面の簡単な説明】
【００２９】
【図１】本発明で使用する連結部材の一例を示す斜視説明図。
【図２】同じく他の一例を示す斜視説明図。
【図３】連結部材を定規アングルの中断部分に取付けた状態を示す斜視説明図。
【図４】連結部材を定規アングルの中断部分に取付けた状態を示す斜視説明図。
【図５】連結部材の取付部分にさらにＡＬＣパネルを取付けた構造を示す斜視説明図。
【図６】連結部材にフラットプレートを用いた従来例を示す斜視説明図。
【図７】従来の連結部材の斜視説明図。
【図８】図７の連結部材の取付部分にさらにＡＬＣパネルを取付けた構造を示す斜視説明図。
【符号の説明】
【００３０】
１   フラットプレート（従来の連結部材）
２   平面Ｌ型取付用鋼材（従来の連結部材）
２ａ   垂直フランジ部
２ｂ   水平フランジ部
２ｃ  矩形状板水平フランジ部
２ｄ  長尺状板水平フランジ部
２ｅ  コ字型切欠き部
３  角柱
４  梁
５  接合部
６  ＡＬＣ壁パネル
６ａ   上層壁パネル
６ｂ   下層壁パネル
６ｃ  アンカー
７  溶接部
８   定規アングル
８ａ  起立片
９   取付金具
９ａ  パネル下部取付部材（稲妻プレート）
９ｂ  板状部材
９ｃ  自重受け部材
９ｄ  係止部材
１０  連結部材
１１  連結プレート
１２  平板部材
１３  突出部
１４  接合部
１５  底部の一部を切り欠いた部分
【図１】
2006112066.tif 000003
【図２】
2006112066.tif 000004
【図３】
2006112066.tif 000005
【図４】
2006112066.tif 000006
【図５】
2006112066.tif 000007
【図６】
2006112066.tif 000008
【図７】
2006112066.tif 000009
【図８】
2006112066.tif 000010